(57)【要約】【課題】画像形成時間の増大を招来することなく、レーザ素子間の温度差に起因する画像の濃度ムラを抑制又は解消することのできる発光装置及び画像形成装置を提供する。【解決手段】レーザ光源ＬＤ１〜ＬＤ４は、それぞれ個別に設けられたヒートシンク７１ａ〜７１ｄに接触した状態で支持されている。ヒートシンク７１ａ〜７１ｄは、空気を用いてレーザ光源ＬＤ１〜ＬＤ４の熱を外部に放出するためのものである。ヒートシンク７１ａ〜７１ｄの適所にはヒータ７２ａ〜７２ｄがそれぞれ設置されている。ヒータ７２ａ〜７２ｄは、対応するレーザ光源ＬＤ１〜ＬＤ４を加熱するためのものである。ヒートシンク７１ａ〜７１ｄの適所には、温度センサ７３ａ〜７３ｄが設置されている。温度センサ７３ａ〜７３ｄは、例えば接触型サーミスタを備えてなり、レーザ光源ＬＤ１〜ＬＤ４の温度を検出するためのものである。【選択図】図３
2008281686.tif 000002
【特許請求の範囲】
【請求項１】
通電により発光する複数の発光体を備え、各発光体の出力光を帯電した感光体に照射する除電動作により該感光体の表面に静電潜像を形成するための発光装置であって、
前記発光体の熱を外部に放出するための放熱体と、
前記発光体を加熱するための加熱部と
を備えた発光装置。
【請求項２】
前記各発光体に前記放熱体及び加熱部が設けられている請求項１に記載の発光装置。
【請求項３】
前記加熱部による加熱動作のオンオフを制御する加熱制御部と、
前記発光体の温度を検出する温度検出部とを備え、
前記加熱制御部は、前記温度検出部の検出温度が予め定められた温度以上であるときに、前記加熱部による加熱動作をオンさせる請求項１または２に記載の発光装置。
【請求項４】
前記加熱部による加熱動作のオンオフを制御する加熱制御部と、
前記各発光体に対応して設けられ、対応する発光体の温度を検出する温度検出部とを備え、
前記加熱制御部は、前記各温度検出部の検出温度に基づき、前記加熱部の加熱動作を個別にオンオフ制御する請求項２に記載の発光装置。
【請求項５】
前記各温度検出部の検出温度が目標温度に達すると、前記加熱部による加熱動作をオフさせ、該加熱動作をオフしたタイミングから予め定められた時間が経過すると、前記加熱部による加熱動作をオンする請求項３または４に記載の発光装置。
【請求項６】
通電により発光する発光体を備えた発光装置と、前記発光体の出力光の照射により除電動作により表面に静電潜像が形成される感光体とを備え、前記感光体の表面に生成された静電潜像を現像剤により現像化して、前記感光体の表面上の現像剤を用紙に転写することにより該用紙に画像を形成する画像形成装置であって、
前記発光装置は、請求項１ないし５のいずれかに記載の発光装置である画像形成装置。
【発明の詳細な説明】
【技術分野】
【０００１】
本発明は、画像形成装置の技術分野に属し、特に、感光体ドラムの表面にレーザを照射して露光を行うレーザ部に関するものである。
【背景技術】
【０００２】
従来、電子写真方式の画像形成装置において、レーザ照射部から照射される複数のレーザ光を、回転多面鏡の各反射面でそれぞれ反射させて感光体ドラムの表面を露光し、感光体ドラム表面に静電潜像を形成するものが広く知られている。
【０００３】
この種の技術分野における文献として例えば下記特許文献１がある。下記特許文献１には、各レーザ素子間の温度差に起因して生じる画像の濃度ムラを抑制することを目的として、主走査方向における１回あたりの走査におけるレーザダイオード各々の総発光時間のばらつきが解消されるように、レーザビームが感光体上で走査される有効走査期間以外の非有効走査期間に各レーザダイオードを発光させる技術が開示されている。
【特許文献１】特開２０００−１１８０４１号公報
【発明の開示】
【発明が解決しようとする課題】
【０００４】
前記特許文献１の技術においては、形成する画像によっては、或る主走査方向の走査を行う場合に、或るレーザダイオードについては前記有効走査期間全く発光させる必要がなく、一方、別のレーザダイオードについては前記有効走査期間、主走査方向の１ラインに形成しうる最大の画素数分発光させるときには、前記非有効走査期間を有効走査期間と同じ時間分だけ設ける必要がある。
【０００５】
しかしながら、このような構成は、有効走査期間での総発光時間のばらつきを解消するべく非有効走査期間に総発光時間が少ないレーザダイオードを発光させるという動作を行わない構成に比して１回あたりの走査に要する時間が増えることとなる。その結果、用紙に画像が形成されるまでの時間が増大する。
【０００６】
本発明は、上述した問題点を解決するためになされたものであり、画像形成時間の増大を招来することなく、レーザ素子間の温度差に起因する画像の濃度ムラを抑制又は解消することのできる発光装置及び画像形成装置を提供することを目的とする。
【課題を解決するための手段】
【０００７】
請求項１に記載の発明は、通電により発光する複数の発光体を備え、各発光体の出力光を帯電した感光体に照射する除電動作により該感光体の表面に静電潜像を形成するための発光装置であって、前記発光体の熱を外部に放出するための放熱体と、前記発光体を加熱するための加熱部とを備えた発光装置である。
【０００８】
この発明によれば、前記発光体の熱を外部に放出するための放熱体と、前記発光体を加熱するための加熱部とを備えたので、各発光体の温度を略一致させることが可能となる。
【０００９】
請求項２に記載の発明は、請求項１に記載の発光装置において、前記各発光体に前記放熱体及び加熱部が設けられているものである。
【００１０】
前記放熱体及び加熱部が１つしか設けられていない場合には、各発光体の温度を略一致させる場合に、その目標温度を最も温度が高い発光体の温度より高い温度に設定せざるを得ないが、本発明によれば、前記各発光体に前記放熱体及び加熱部を設けたので、目標温度を最も温度が高い発光体の温度に設定し、各発光体の温度をその目標温度で略一致させることが可能となる。
【００１１】
請求項３に記載の発明は、請求項１または２に記載の発光装置において、前記加熱部による加熱動作のオンオフを制御する加熱制御部と、前記発光体の温度を検出する温度検出部とを備え、前記加熱制御部は、前記温度検出部の検出温度が予め定められた温度以上であるときに、前記加熱部による加熱動作をオンさせるものである。
【００１２】
この発明によれば、温度検出部の検出温度が予め定められた温度以上であるときに、前記加熱部による加熱動作をオンさせるようにしたので、常時、前記加熱部による加熱動作をオンさせる場合に比して、省電力を図ることができる。
【００１３】
請求項４に記載の発明は、請求項２に記載の発光装置において、前記加熱部による加熱動作のオンオフを制御する加熱制御部と、前記各発光体に対応して設けられ、対応する発光体の温度を検出する温度検出部とを備え、前記加熱制御部は、前記各温度検出部の検出温度に基づき、前記加熱部の加熱動作を個別にオンオフ制御するものである。
【００１４】
この発明によれば、前記放熱体及び加熱部が前記各発光体に対応して設けられている場合に、前記各発光体に対応して温度検出部を設け、各温度検出部の検出温度に基づき、前記加熱部の加熱動作を個別にオンオフ制御するようにしたので、請求項２に記載の発明と同様、目標温度を最も温度が高い発光体の温度に設定し、各発光体の温度をその目標温度で略一致させるように制御することができる。
【００１５】
請求項５に記載の発明は、請求項３または４に記載の発光装置において、前記各温度検出部の検出温度が目標温度に達すると、前記加熱部による加熱動作をオフさせ、該加熱動作をオフしたタイミングから予め定められた時間が経過すると、前記加熱部による加熱動作をオンするものである。
【００１６】
この発明によれば、各温度検出部の検出温度が目標温度に達すると、前記加熱部による加熱動作をオフさせ、該加熱動作をオフしたタイミングから予め定められた時間が経過すると、前記加熱部による加熱動作をオンするようにしたので、この動作を行っている間、各発光体の温度を前記目標温度に略一定に保持することができる。
【００１７】
請求項６に記載の発明は、通電により発光する発光体を備えた発光装置と、前記発光体の出力光の照射により除電動作により表面に静電潜像が形成される感光体とを備え、前記感光体の表面に生成された静電潜像を現像剤により現像化して、前記感光体の表面上の現像剤を用紙に転写することにより該用紙に画像を形成する画像形成装置であって、前記発光装置は、請求項１ないし５のいずれかに記載の発光装置である画像形成装置である。
【００１８】
この発明によれば、画像形成装置において、請求項１ないし５のいずれかに記載の発明の効果が得られる。
【発明の効果】
【００１９】
本発明によれば、走査時間を増大させることなく各発光体の温度を略一致させることができるため、画像形成時間の増大を招来することなくレーザ素子間の温度差に起因する画像の濃度ムラを抑制又は解消することができる。
【発明を実施するための最良の形態】
【００２０】
図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものであり、本体部２と、本体部２の左方に配設されたスタックトレイ３と、本体部２の上部に配設された原稿読取部５と、原稿読取部５の上方に配設された原稿給送部６とを有している。
【００２１】
複合機１のフロント部には、操作部４７が設けられている。操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７とが備えられている。
【００２２】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを図略の画像処理部へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを上記画像処理部へ出力する。
【００２３】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を、原稿読取スリット５３を介してスキャナ部５１から読取可能にしている。
【００２４】
原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２５】
本体部２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２６】
記録部４０は、スキャナ部５１等で取得された画像データに基づきレーザ等を出力して感光体ドラム４３を露光する光走査装置４９と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２７】
記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２８】
図２は、光走査装置４９の構成図である。図２に示すように、本発明に係る光走査装置４９は、レーザ照射部４９１、コリメータレンズ４９２、プリズム４９３、ポリゴンミラー（回転多面鏡）４９４、ｆ−θレンズ４９５及びビームディテク卜センサ（以下、ＢＤセンサという）４９６を備えている。
【００２９】
図３に示すように、レーザ照射部４９１は、レーザ照射部４９１は、支持軸４３ａにより軸支された状態で回転可能に構成された円柱状表面を有する感光体ドラム４３の前記表面に、画像データに応じて光を照射するものである。なお、支持軸４３ａが延びる方向を主走査方向という。レーザ照射部４９１は、前記複数のレーザ光源ＬＤ１〜ＬＤ４が、各光源ＬＤ１〜ＬＤ４から出力されるレーザ光Ｌ１〜Ｌ４の感光体ドラム４３の表面における到達位置（結像位置）の配列方向が、前記主走査方向及び副走査方向（感光体ドラム４３の表面を展開した場合に前記主走査方向に直交する方向）に対してそれぞれ傾斜角度を有するように、先端面Ｙに一定間隔で１列に配列された状態でユニット化されている。光走査装置４９は、この構成により、複数の走査ラインへの画像の書き込みを１回の走査で行えるように構成されている。
【００３０】
コリメータレンズ４９２は、各レーザ光源から出力されるレーザ光を集光するためのものである。プリズム４９３は、コリメータレンズ４９２を透過した光をそれぞれ平行光に変換し、ポリゴンミラー４９４に向けて放出するものである。ポリゴンミラー４９４は、入射光を感光体ドラム４３に向けて反射させる反射面を複数有し、例えば図２の矢印方向に一定速度で回転することで、各レーザ光をそれぞれ異なる反射面で感光体ドラム４３に反射しつつ感光体ドラム４３の回転軸方向（主走査方向）に走査させるものである。ｆ−θレンズ４９５は、ポリゴンミラー４９４により反射されたレーザ光を感光体ドラム４３の表面上に所定の径を有するスポット状に結像するものである。
【００３１】
以上のような構成により、感光体ドラム４３の表面上でレーザ光が主走査方向に一定速度で繰り返し走査される。帯電された感光体ドラム４３表面にレーザ光が照射されると、その照射された部分の電荷が除去される。複合機１は、このような感光体ドラム４３の表面に対するレーザ光の照射を画像データに対応して行い、感光体ドラム４３の表面の電位を選択的に減衰させて静電潜像を形成し、感光体ドラム４３の表面に形成された静電潜像をトナーにより現像し、該トナー像を記録紙に転写するように構成されている。
【００３２】
制御部１０は、各制御プログラム等を記憶するＲＯＭ、一時的にデータを格納するＲＡＭ、及び制御プログラム等をＲＯＭから読み出して実行する中央演算処理装置等からなり、機能的に、描画部１０１とＬＤ駆動部１０２とを有する。描画部１０１は、画像メモリ８から出力される書込対象画像の画像データに基づいてＬＤ駆動部１０３の駆動を開始させるものである。ＬＤ駆動部１０３は、描画部１０２からの指示に基づいて、レーザ照射部４９１を駆動制御するものである。
【００３３】
以上の構成に加えて、本実施形態においては、レーザ光源ＬＤ１〜ＬＤ４の温度を監視し、レーザ光源ＬＤ１〜ＬＤ４の温度を略一致させる機能を搭載している。以下、この機能を実現する構成について説明する。
【００３４】
図３に示すように、レーザ光源ＬＤ１〜ＬＤ４は、前記先端面Ｙを構成する共通の円盤７０に形成された複数の孔（図示せず）にそれぞれ嵌合して設置されている。また、レーザ光源ＬＤ１〜ＬＤ４は、それぞれ個別に設けられたヒートシンク７１ａ〜７１ｄに接触した状態で支持されている。ヒートシンク７１ａ〜７１ｄは、空気を用いてレーザ光源ＬＤ１〜ＬＤ４の熱を外部に放出するためのものであり、前記放熱体の一例である。
【００３５】
また、ヒートシンク７１ａ〜７１ｄの適所には、前記加熱部としてのヒータ７２ａ〜７２ｄがそれぞれ設置されている。ヒータ７２ａ〜７２ｄは、対応するレーザ光源ＬＤ１〜ＬＤ４を加熱するためのものであり、本実施形態では、ヒータ７２ａ〜７２ｄは、ヒートシンク７１ａ〜７１ｄに設置されているため、対応するレーザ光源ＬＤ１〜ＬＤ４を間接的に加熱する。なお、ヒートシンク７１ａ〜７１ｄの体積、ヒートシンク７１ａ〜７１ｄと外部空間との接触面積、ヒータ７２ａ〜７２ｄの表面積の各々は、全て一致させるのが好ましい。
【００３６】
さらに、ヒートシンク７１ａ〜７１ｄの適所には、温度センサ７３ａ〜７３ｄが設置されている。温度センサ７３ａ〜７３ｄは、例えば接触型サーミスタを備えてなり、レーザ光源ＬＤ１〜ＬＤ４の温度を検出するためのものであり、本実施形態では、温度センサ７３ａ〜７３ｄは、ヒートシンク７１ａ〜７１ｄに設置されているため、対応するレーザ光源ＬＤ１〜ＬＤ４の温度を間接的に検出する。なお、温度センサ７３ａ〜７３ｄは、前記接触型サーミスタに限らず、非接触型のサーミスタ或いは他の構成を備えるものであってもよい。
【００３７】
図２に示すように、制御部１０は、前記描画部１０１及びＬＤ駆動部１０２としての機能の他に、ヒータ制御部１０３としての機能も有する。以下、ヒータ制御部１０３による制御内容について説明する。図４は、ヒータ制御部１０３による制御を示すタイムチャートである。なお、ここでは、レーザ光源ＬＤ１に着目して説明することとする。
【００３８】
図４に示すように、まず、画像形成を行っていない待機モードにおいては、レーザ光源ＬＤ１は非点灯の状態であり、このときのレーザ光源ＬＤ１の温度は比較的低い温度ＴＬとなっている。そして、複合機１がこの待機モードから画像形成を実行する画像形成モードに移行すると、レーザ光源ＬＤ１はその点灯動作により温度が上昇する。
【００３９】
ここで、レーザ光源ＬＤ１に対応する温度センサ７３ａの検出温度Ｔが予め設定された温度管理開始温度Ｔｓｔに達する（タイミングｔ１）までは、ヒータ制御部１０３は、ヒータ７２ａのオンを待機する。これにより、画像形成モードに移行すると同時にヒータ７２ａをオンする場合に比して、ヒータ７２ａのオン時間が短い分、省電力を図ることができる。
【００４０】
そして、ヒータ制御部１０３は、温度センサ７３ａの検出温度Ｔが予め設定された温度管理開始温度Ｔｓｔに達すると、ヒータ７２ａをオンする。これにより、レーザ光源ＬＤ１の温度は、それまでの温度上昇率より大きな上昇率で上昇する。
【００４１】
温度センサ７３ａの検出温度Ｔが予め定められた目標温度Ｔｔｇ（例えば６０℃から７０℃の間の温度）に達する（タイミングｔ２）と、ヒータ制御部１０３は、ヒータ７２ａをオフし、前記タイミングｔ２から時間Δｔ経過後のタイミングｔ３に、再びヒータ７２ａをオンする。これにより、ヒータ７２ａのオフにより漸減する温度センサ７３ａの検出温度Ｔが、ヒータ７２ａの再度のオンにより上昇し、再び目標温度Ｔｔｇに達する。ヒータ制御部１０３は、画像形成動作の実行期間、前記タイミングｔ２からタイミングｔ４までのヒータ７２ａの温度制御を繰り返し行う。これにより、レーザ光源ＬＤ１の温度を略目標温度Ｔｔｇで一定に維持することができる。なお、画像形成動作を行う必要がなくなると（タイミングｔ５）、ヒータ制御部１０３はヒータ７２ａをオフする。
【００４２】
ヒータ制御部１０３は、このような温度制御を他のレーザ光源ＬＤ２〜ＬＤ４についても行うことで、レーザ光源ＬＤ２〜ＬＤ４の温度も略目標温度Ｔｔｇで一定に維持することができる。その結果、全てのレーザ光源ＬＤ１〜ＬＤ４の温度を略一致させることができる。
【００４３】
このように、本実施形態では、各レーザ光源ＬＤ１〜ＬＤ４にそれぞれ全てのレーザ光源ＬＤ１〜ＬＤ４の温度を略一致させることができるため、従来技術のように画像形成時間の増大を招来することなく、レーザ光源ＬＤ１〜ＬＤ４間の温度差に起因する画像の濃度ムラを抑制又は解消することができる。
【００４４】
また、本実施形態では、レーザ光源ＬＤ１〜ＬＤ４ごとに、ヒートシンク７１ａ〜７１ｄ及びヒータ７２ａ〜７２ｄを設け、各レーザ光源ＬＤ１〜ＬＤ４の温度を個別に温度制御するようにするため、或るレーザ光源については図４に示すような温度制御を実行し、或るレーザ光源については図４に示すような温度制御を実行しないようにすることができる。
【００４５】
これにより、レーザ光源のうち最も温度が高いレーザ光源の温度を目標温度に設定することができる。すなわち、最も温度が高いレーザ光源については図４に示すような温度制御を実行せず、他のレーザ光源については、図４に示すような温度制御を実行してレーザ光源の温度を前記目標温度にすることで、全てのレーザ光源の温度を、最も温度が高いレーザ光源の温度にするという制御を行うことができる。
【００４６】
なお、本件は、前記実施形態に代えて、又は前記実施形態に加えて、次の様な形態も含むものである。
【００４７】
［１］前記第１の実施形態では、レーザ光源ＬＤ１〜ＬＤ４ごとに、ヒートシンク７１ａ〜７１ｄ及びヒータ７２ａ〜７２ｄを設け、各レーザ光源ＬＤ１〜ＬＤ４の温度を個別に温度制御するようにしたが、本件は、この形態に限られず、ヒートシンク及びヒータの数は適宜設定可能である。例えば図５に示すように、ヒートシンク及びヒータをそれぞれ１つずつ設け、各レーザ光源ＬＤ１〜ＬＤ４を１つのヒートシンク７４に設置するとともに、該ヒートシンク７４の適所に１つのヒータ７５を設置する形態も含む。
【００４８】
図５に示す形態では、各レーザ光源ＬＤ１〜ＬＤ４は共通のヒートシンク７４に接触するため、設定可能な目標温度Ｔｔｇが、レーザ光源ＬＤ１〜ＬＤ４のうち最も高温となっているレーザ光源の温度よりも高い温度に限定されるが、前記第１の実施形態に比してヒートシンクの構造が簡素化されるとともに、ヒータの設置数の低減等によりコストを抑制することができる。
【００４９】
逆に、前記第１の実施形態は、レーザ光源ＬＤ１〜ＬＤ４の温度を個別に制御することができるため、前述したように、レーザ光源ＬＤ１〜ＬＤ４のうち最も高温となっているレーザ光源のその温度を目標温度Ｔｔｇとして設定することができる。
【００５０】
［２］前記目標温度Ｔｔｇは、複合機１の環境温度によって変化させてもよい。例えば、前記環境温度が比較的低い場合には、前記目標温度Ｔｔｇを低めに設定し、前記環境温度が比較的高い場合には、前記目標温度Ｔｔｇを高めに設定してもよい。
【００５１】
［３］前記ヒートシンクは、放熱効率を高めるため、複数のフィンを有するものでも良いし、前記フィンが設けられていないものでもよい。また、レーザ光源ＬＤ１〜ＬＤ４の熱を外部に放出するための放熱体として、空気を用いて放熱動作を行う前記ヒートシンクに限らず、水などの液体を媒体として放熱動作を行うものや、周知のペルチェ素子も採用可能である。
【図面の簡単な説明】
【００５２】
【図１】本発明の一実施形態に係る画像形成装置の一例である複合機の内部構成を概略的に示す側面図である。
【図２】光走査装置の構成図である。
【図３】レーザ照射部の構成を示す図である。
【図４】前記各レーザ光源の温度制御を示すタイムチャートである。
【図５】レーザ照射部の変形形態を示す図である。
【符号の説明】
【００５３】
１０３  ヒータ制御部
７１ａ〜７１ｄ，７４  ヒートシンク
７２ａ〜７２ｄ，７５  ヒータ
７３ａ〜７３ｄ  温度センサ
ＬＤ１〜ＬＤ４  レーザ光源
【図１】
2008281686.tif 000003
【図２】
2008281686.tif 000004
【図３】
2008281686.tif 000005
【図４】
2008281686.tif 000006
【図５】
2008281686.tif 000007